(57)【要約】【課題】簡易な構造で、光の影響による像を広く視認させることができるデザイン性の高い墓石を課題とする。【解決手段】墓石１は、鏡面処理された反射面１２を有する銘板３と、反射面１２の上方にて反射面１２に対向するように貫通形成された貫通穴２４を有する門４と、を備える。貫通穴２４が少なくともテーパー穴を含み、貫通穴２４に起因する光の像３０が反射面１２に現れるように構成した。【選択図】図１
2011038252.tif 000002
【特許請求の範囲】
【請求項１】
鏡面処理された反射面を有する第１の石部材と、
前記反射面の上方にて当該反射面に対向するように貫通形成された貫通穴を有する第２の石部材であって、当該貫通穴が少なくともテーパー穴を含む第２の石部材と、を備え、
前記貫通穴に起因する光の像が前記反射面に現れるように構成された、墓石。
【請求項２】
前記テーパー穴は、その左右方向の長さが下方にかけて徐々に小さく又は大きくなるように形成されている、請求項１に記載の墓石。
【請求項３】
前記テーパー穴は、その前後方向の長さが下方にかけて徐々に小さく又は大きくなるように形成されている、請求項１又は２に記載の墓石。
【請求項４】
前記貫通穴の内壁に着脱可能に支持され、石材とは異なる材料からなる装着部材を備えた、請求項１ないし３のいずれか一項に記載の墓石。
【請求項５】
前記装着部材は、前記テーパー穴の内壁に支持されるように、当該内壁に対応してテーパー形状に形成された外周部を有する、請求項４に記載の墓石。
【請求項６】
前記貫通穴は、前記テーパー穴に隣接する受け穴を有し、
前記受け穴の内壁は、前記装着部材の底部の縁部を支持する水平支持面と、前記水平支持面の外側部から立ち上がり前記装着部材の外周部に面する鉛直面と、を有する、請求項４に記載の墓石。
【請求項７】
前記第２の石部材は、上部に前記貫通穴を有し且つ少なくとも前面が開放された門型からなり、
前記第１の石部材は、少なくとも前記反射面が前記門型の第２の石部材の内側に配置されている、請求項１ないし６のいずれか一項に記載の墓石。
【発明の詳細な説明】
【技術分野】
【０００１】
本発明は、墓石に関するものである。
【背景技術】
【０００２】
墓石の種類には和型・洋型などがあり、近年ではデザイン性の高い墓石も提案されている。例えば特許文献１に記載の墓石は、墓参りに訪れた人に光の演出を提供するものである。具体的には、横置きした墓石の傾斜した上面に鏡を設ける一方で、墓石の奥側にＵ字状アーチを設置し、Ｕ字状アーチの上部に角筒状のハウジングを斜め下方に向けて支持させ、ハウジングの下端開口を鏡に臨ませる。そして、ハウジングの上端開口から導入した自然光を、ハウジング内の所定の像（色ガラス又は写真）を通過させる。これにより、ハウジングの下端開口から鏡へと像が投影され、その像が鏡にて反射され、参拝者は、墓石に現れた光による像を視認できるようになっている。
【先行技術文献】
【特許文献】
【０００３】
【特許文献１】特開平８−５１１８７８号公報
【発明の概要】
【発明が解決しようとする課題】
【０００４】
しかし、特許文献１に記載の墓石は、本来の石材のほかに、鏡、Ｕ字状アーチ及びハウジングといった部材を必要とする。このため、墓石全体として構造が複雑であった。また、墓石として実際に好まれるものではなく、掃除なども大変で、デザイン性も低くかった。さらに、ハウジングの構造が工夫されていないため、ハウジングから下方に投影される像は、そのハウジングの正面、すなわち墓石の正面からでしか視認することができず、しかも墓石の正面にいても目線の高さ位置によっては光の像を視認することができないおそれがあった。
【０００５】
そこで、本発明は、簡易な構造で、光の影響による像を広く視認させることができるデザイン性の高い墓石を提供することをその目的としている。
【課題を解決するための手段】
【０００６】
上記目的を達成するため、本発明の墓石は、鏡面処理された反射面を有する第１の石部材と、反射面の上方にて反射面に対向するように貫通形成された貫通穴を有する第２の石部材と、を備え、貫通穴が少なくともテーパー穴を含み、貫通穴に起因する光の像が反射面に現れるように構成されたものである。
【０００７】
本発明によれば、テーパー穴を形成しているので、ストレート穴の場合に比べて、視野角を広くすることができる。このため、テーパー穴の内壁の上下方向の長さが変化する方向（例えば左右方向）に人の目線位置がずれた場合にも、反射面に現れる光の像を視認させることができる。加えて、別部材として鏡を用いなくとも、石部材の鏡面処理により反射面を設けることができる。また、従来のようなハウジングなどを必要とすることなく、石部材のみで像を現すことが可能であるため、墓石全体の構造を単純化し、デザイン性を向上することができる。
【０００８】
ここで、「光」は、太陽光のみならず、人工光（ＬＥＤやランプなどによる光）であってもよい。また、第１及び第２の石部材は、別体のみならず、一つの石材で構成されてもよい。
【０００９】
好ましくは、テーパー穴は、その左右方向の長さが下方にかけて徐々に小さく又は大きくなるように形成されるとよい。この構成によれば、左右方向の視野角が広くなるため、人の目線位置が左右にずれた場合にも、反射面上の光の像を視認させることが可能となる。
【００１０】
同様に、好ましくは、テーパー穴は、その前後方向の長さが下方にかけて徐々に小さく又は大きくなるように形成されるとよい。この構成によれば、前後方向の視野角が広くなるため、人の目線位置が前後にずれた場合にも、反射面上の光の像を視認させることが可能となる。特に、反射面の後側がその前側よりも高い位置となるように反射面が傾斜している場合には、上下方向の視野角が広がることになるため、目線位置が上下にずれた場合にも像の視認性を確保することができる。
【００１１】
好ましくは、石材とは異なる材料からなる装着部材が貫通穴の内壁に着脱可能に支持されるとよい。こうすることで、例えば装着部材を色ガラスで構成した場合には、その色ガラスの色の像が反射面上に現れる。このように装着部材を設けることで、光と組み合せた複合的な像を交換可能に反射面上に現すことができる。
【００１２】
この場合、好ましい一態様によれば、装着部材は、テーパー穴の内壁に支持されるように、内壁に対応してテーパー形状に形成された外周部を有するとよい。こうすることで、テーパーの形状を有効に利用して、装着部材をテーパー穴の内壁に抜け落ちないように支持させることができる。
【００１３】
また、別の好ましい一態様によれば、貫通穴は、テーパー穴に隣接する受け穴を有し、受け穴の内壁は、装着部材の底部の縁部を支持する水平支持面と、水平支持面の外側部から立ち上がり装着部材の外周部に面する鉛直面と、を有するとよい。このように貫通穴に受け穴を設けておくことで、装着部材に特別な加工を施さなくとも、装着部材を受け穴の内壁に支持させることができる。
【００１４】
好ましくは、第２の石部材は、上部に貫通穴を有し且つ少なくとも前面が開放された門型からなり、第１の石部材は、少なくとも反射面が門型の第２の石部材の内側に配置されるとよい。この構成によれば、第２の石部材（門）の内側はその外側に比べて暗いので、この門の内側に配置された反射面上の光の像を比較的明るい像として、前方から視認させることが可能となる。
【図面の簡単な説明】
【００１５】
【図１】第１実施形態に係る墓石の斜視図である。
【図２】図１の墓石の正面図である。
【図３】図１の墓石の平面図である。
【図４】図１の墓石の銘板の側面図である。
【図５】図１の墓石の門の断面図であり、（ａ）は図３のＡ−Ａ´線に沿って切断した断面図、（ｂ）は図３のＢ−Ｂ´線に沿って切断した断面図である。
【図６】比較例に係る墓石について、目線位置をずらした場合に反射面上の像を視認できなくなることの原理を示す図であり、（ａ）は斜視図、（ｂ）はハッチングを省略した側断面図である。
【図７】第１実施形態に係る墓石の一例について、目線位置を左右にずらした場合にも反射面上の像を視認できることの原理を示す図であり、（ａ）は斜視図、（ｂ）は正面図である。
【図８】第１実施形態に係る墓石の一例について、目線位置を上下にずらした場合にも反射面上の像を視認できることの原理を示す図であり、（ａ）は斜視図、（ｂ）はハッチングを省略した側断面図である。
【図９】第１実施形態に係る墓石の第１の変形例を示す図であり、（ａ）は斜視図、（ｂ）は門の拡大平面図、（ｃ）及び（ｄ）はそれぞれ（ｂ）におけるＣ−Ｃ´線及びＤ−Ｄ´線に沿って切断した断面図である。
【図１０】第１実施形態に係る墓石の第２の変形例を示す図であり、（ａ）は斜視図、（ｂ）は門の拡大平面図、（ｃ）及び（ｄ）はそれぞれ（ｂ）におけるＣ−Ｃ´線及びＤ−Ｄ´線に沿って切断した断面図である。
【図１１】第１実施形態に係る墓石の第３の変形例を示す図であり、（ａ）は斜視図、（ｂ）は門の拡大平面図、（ｃ）及び（ｄ）はそれぞれ（ｂ）におけるＣ−Ｃ´線及びＤ−Ｄ´線に沿って切断した断面図である。
【図１２】第１実施形態に係る墓石の第４の変形例を示す図であり、（ａ）は斜視図、（ｂ）は門の拡大平面図、（ｃ）及び（ｄ）はそれぞれ（ｂ）におけるＣ−Ｃ´線及びＤ−Ｄ´線に沿って切断した断面図である。
【図１３】第２実施形態に係る墓石を示す図であり、（ａ）は斜視図、（ｂ）は門の拡大平面図、（ｃ）及び（ｄ）はそれぞれ（ｂ）におけるＣ−Ｃ´線及びＤ−Ｄ´線に沿って切断した断面図である。
【図１４】第２実施形態に係る墓石の一例について、反射面上に現れる像を示す模式図である。
【図１５】第２実施形態に係る墓石の第１の変形例を示す図であり、（ａ）は斜視図、（ｂ）は門の拡大平面図、（ｃ）及び（ｄ）はそれぞれ（ｂ）におけるＣ−Ｃ´線及びＤ−Ｄ´線に沿って切断した断面図である。
【図１６】第２実施形態に係る墓石の第２の変形例を示す図であり、（ａ）は斜視図、（ｂ）は門の拡大平面図、（ｃ）及び（ｄ）はそれぞれ（ｂ）におけるＣ−Ｃ´線及びＤ−Ｄ´線に沿って切断した断面図である。
【図１７】第３実施形態に係る墓石のテーパー穴を示す拡大断面図である。
【図１８】第４実施形態に係る墓石を示す図であり、（ａ）は装着部材まわりの構造をハッチングを省略して示す拡大正面断面図、（ｂ）は装着部材を示す斜視図である。
【図１９】第４実施形態に係る墓石の第１の変形例について、装着部材まわりの構造をハッチングを省略して示す拡大正面断面図である。
【図２０】第４実施形態に係る墓石の第２の変形例について、装着部材まわりの構造をハッチングを省略して示す拡大正面断面図である。
【図２１】第４実施形態に係る墓石の第３の変形例について、装着部材まわりの構造をハッチングを省略して示す拡大正面断面図である。
【図２２】比較例に係る墓石について、貫通穴がストレート穴の場合に、光源の位置によっては、光が反射面に照らされなくなることを示す図であり、（ａ）は斜視図、（ｂ）はハッチングを省略した側断面図である。
【図２３】実施形態に係る墓石の一例について、貫通穴が左右に斜めに切り込まれたテーパー穴の場合に、光源の左右の位置によって、反射面に照らされる光の左右の位置が変わることを示す図であり、（ａ）は斜視図、（ｂ）はハッチングを省略した側断面図である。
【図２４】実施形態に係る墓石の一例について、貫通穴が前後に斜めに切り込まれたテーパー穴の場合に、光源の位置によって、反射面に照らされる光の上下の位置が変わることの原理を示す図であり、（ａ）は斜視図、（ｂ）はハッチングを省略した側断面図である。
【発明を実施するための形態】
【００１６】
上記の添付図面を参照して、本発明の好適な実施形態に墓石について説明する。以下では、図２の紙面における上下及び左右を基準に説明する。したがって例えば、墓参りする人が墓石の正面にいるとは、その人が墓石の前側にいることを意味する。
【００１７】
＜第１実施形態＞
図１〜３に示すように、墓石１は、平面視長方形の芝台２と、芝台２上に載置された銘板３及び門４と、を備えてなる。墓石１の態様は、これら三つの石部材に限られるものではなく、適宜の態様を採用することができる。例えば、花立などの別の石部材を設けることもできるし、芝台２を省略することもできる。芝台２、銘板３及び門４は、いずれも石材からなる。石材の種類としては、各種のものを用いることができ、例えば御影石と呼ばれる花崗岩や、安山岩、閃緑岩が好適に用いられる。なお、後述の特許請求の範囲に記載の「第１の石部材」の一例が銘板３であり、「第２の石部材」の一例が門４である。
【００１８】
図２及び図４に示すように、銘板３は、正面視及び側面視が略台形に形成されている。銘板３は、後面１４の反対側に、下側の面１１と上側の反射面１２との二つの斜面からなる前面を有する。面１１及び反射面１２は、いずれも上端側を下端側よりも後方に位置させることで傾斜しており、その傾斜角度は反射面１２の方が面１１よりも小さくなっている。反射面１２は、面１１よりも大きな面積で構成され、墓石１の前面に広く臨む。反射面１２の傾斜角度αは、例えば、約４５°に設定されるがこれに限られるものではない。
【００１９】
反射面１２は、銘板３を構成する石材の表面を鏡面処理されてなり、参拝者に像を反射する鏡として機能する。鏡面処理は、公知の方法を用いることができ、例えば、メッシュ番手の小さい砥石から大きいものへと順次磨き上げていき、バフで仕上げをすることにより行うことができる。また、反射面１２には、戒名などの文字や模様を掘り込んだり、プリントしたりすることができる。なお、銘板３の前面を反射面１２のみで構成し、面１１を省略することも可能である。
【００２０】
図１〜図３に示すように、門４は、文字通りアーチ型の構造を有しており、内部が前後方向に開放されている。詳細には、門４は、左右一対の脚部２１，２１と、脚部２１，２２の上側部分を連ねる梁状の上部２２と、で構成される。門４は、銘板３の正面視形状と対応するように、正面視が中抜きの略台形に形成される。門４の前面側及び後面側は広く開放され、門４の内側の空洞部分に銘板３が配置される。
【００２１】
この配置した状態では、反射面１２の位置する空間が門４の外側よりも暗くなるように、門４の前面側に位置する反射面１２が門４の内側に位置することになる。別の観点で換言すると、反射面１２の直上には隙間を介して上部２２が対向するように位置し、反射面１２の左右側には僅かな隙間を介して脚部２１，２１が対向するように位置し、反射面１２は上側及び左右の両側から囲繞される。一方、門４の後面側の開放部分は、銘板３の後面１４によりほぼ塞がれる。このように、銘板３及び門４は、墓石１の前面に開放されている反射面１２に暗い空間を提供するように構成される。
【００２２】
図３及び５に示すように、門４の上部２２には、貫通穴２４が上下方向に貫通形成されている。貫通穴２４の位置は、反射面１２の上方且つこれに対向する位置であればよく、例えば、上部２２の中央且つやや手前よりの位置とすることができる。貫通穴２４の平面視における輪郭は、各種の形状のものを採用することができ、ここでは十字の形状が採用されている。
【００２３】
貫通穴２４は、下方にかけて徐々に先細りとなるテーパー穴からなる。具体的には、貫通穴２４の十字形状のうち、前後方向に延びる縦穴部２６は、図５（ａ）に示すように、前後の内壁２６ａ，２６ｂが下方にかけて徐々に内側に延び、内壁２６ａ，２６ｂ間の距離（前後方向の長さ）が下方にかけて徐々に小さくなっている。また、図５（ｂ）に示すように、内壁２６ａ，２６ｂのそれぞれの幅（左右方向の長さ）も、下方にかけて徐々に小さくなっている。
【００２４】
同様に、貫通穴２４の十字形状のうち、左右方向に延びる横穴部２８は、図５（ｂ）に示すように、前後の内壁２８ａ，２８ｂが下方にかけて徐々に内側に延び、内壁２８ａ，２８ａ間の距離（左右方向の長さ）が下方にかけて徐々に小さくなっている。また、図５（ａ）に示すように、内壁２８ａ，２８ｂのそれぞれの幅（前後方向の長さ）も、下方にかけて徐々に小さくなっている。このように、貫通穴２４は、下方にかけて十字形状の外形が徐々に縮小するテーパー穴となっている
【００２５】
以上のように構成された墓石１が光のもとにさらされた場合、貫通穴２４に起因した光の像３０が反射面１２上に現れる（参照：図２）。本実施形態では、貫通穴２４の十字形状の像３０が反射面１２上に現れ、それを参拝者が広い視野角で視認することが可能となる。なお、光はランプなどの人口光を用いることもできるが、太陽光が用いられることが好ましい。
【００２６】
以下、本実施形態の墓石１において広い視野角を確保できる原理について、比較例の墓石を参照して説明する。なお、理解を容易にすべく、以下では、本実施形態の一例として、墓石１を太陽光のもとにさらし、貫通穴２４の平面視における輪郭が十字形状ではなく長方形である場合について説明する。また、比較例の構成のうち実施形態の構成と同様のものについては、実施形態の各構成に付した符号に「´」を添えて表記する。
【００２７】
先ず、図６に示す比較例に係る墓石１´は、貫通穴２４´の点に関して上記実施形態に係る墓石１と相違する。具体的には、貫通穴２４´は、テーパー穴ではなくストレート穴で形成されており、貫通穴２４´の内壁は、長さ及び幅が上下方向に変化するものではなく、計４つからなる内壁面が上下方向に平行に延在する。
【００２８】
図６（ａ）に示すように、太陽光の影響により、反射面１２´上には貫通穴２４´に起因する長方形の像３０が現れる。この像３０は、貫通穴２４´の直上の風景（この場合、空とし、以下の説明でも同様に空とする。）である空Ｘ1が反射面１２´で反射することで、参拝者の目にうつるものである。したがって、空Ｘ1に対応する位置に別の物体を置いた場合には、参拝者の目にうつる像３０にはその物体の像が含まれる。この場合、参拝者の目線位置が墓石１´の正面位置Ｙ1（すなわち、貫通孔２４´がある左右方向の位置と同じ左右方向の位置。）にいるときのみ、反射面１２´上の像３０が参拝者の目にうつることになる。したがって、目線位置が正面位置Ｙ1から左右方向にずれた場合には、参拝者は像３０を視認できないことになる。
【００２９】
この点同様に、図６（ｂ）に示すように、反射面１２´上の像３０は目線位置が正面位置Ｙ1における所定の高さ位置Ｚ1にある場合にのみ視認できるものである。したがって、目線位置が所定の高さ位置Ｚ1から上下方向にずれると、参拝者は像３０を視認できないことになる。このように像３０を視認できる目線位置が左右方向及び上下方向で制限されるのは、貫通穴２４´がストレート穴であるからである。
【００３０】
これに対し、図７及び８に示す実施形態に係る墓石１の一例では、参拝者の目線位置が上下及び左右にずれても、像３０を視認させることができる。
【００３１】
先ず、図７に示すように、貫通穴２４の左右方向の長さが下方にかけて徐々に小さくなるようなテーパー穴として貫通穴２４が形成されている場合、目線位置が左右方向にずれても反射面１２上の像３０を視認することができる。具体的には、目線位置が正面位置Ｙ1にあるときは、反射面１２で反射する空Ｘ1が見える点では図６の場合と同様である。しかし、目線位置が左にずれた位置Ｙ2にあるときは、反射面１２で反射する空Ｘ2が見えると共に、目線位置が右にずれた位置Ｙ3にあるときは、反射面１２で反射する空Ｘ3が見えることになる。したがって、図７に示す貫通穴２４のように、上下方向に対して左右斜め下方に切り込んだテーパー穴の場合には、視野角が左右方向に広がることになる。なお、テーパー穴のレベル（傾斜角度など）により、視野角は変動する。
【００３２】
また、図８に示すように、貫通穴２４の前後方向の長さが下方にかけて徐々に小さくなるようなテーパー穴として貫通穴２４が形成されている場合、目線位置が上下方向にずれても反射面１２上の像３０を視認することができる。具体的には、目線位置が正面位置Ｚ1にあるときは、反射面１２で反射する空Ｘ1が見える点では図６の場合と同様である。しかし、目線位置が上にずれた位置Ｚ2にあるときは、反射面１２で反射する空Ｘ4が見えると共に、目線位置が下にずれた位置Ｚ3にあるときは、反射面１２で反射する空Ｘ5が見えることになる。したがって、図８に示す貫通穴２４のように、上下方向に対して前後斜め下方に切り込んだテーパー穴の場合には、視野角が上下方向に広がることになる。
【００３３】
以上説明したように、図７及び８に示すそれぞれのテーパー穴の態様を併せ持つ図１等に示す貫通穴２４によれば、左右方向及び上下方向に広い視野角を確保することができる。よって、本実施形態の墓石１によれば、貫通穴２４に起因する光の像３０について、その視認性を一つの目線位置からのものに限定せず、広く視認させることが可能となる。しかも、銘板３及び門４の構成により、反射面１２に暗い空間が提供されているため、反射面１２上の光の像３０を比較的明るい像として、視認させることができる。また、反射面１２に文字や模様を掘り込み又はプリントしている場合には、その文字等と光の像３０とを組み合わせた複合像を視認させることができる。
【００３４】
加えて、本実施形態の墓石１によれば、銘板３の石材に反射面１２を鏡面処理により形成し、門４の石材に貫通穴２４をテーパー穴として形成することで、実質的に二つの石部材の構成によって像３０を視認させることができる。よって、石材以外の物（例えば上記特許文献１に記載の鏡、Ｕ字状アーチ及びハウジング）を設けなくて済むため、墓石１の全体構造を単純化することができ、デザイン性も高めることができる。
【００３５】
＜第１実施形態の変形例＞
次に、図９〜１２を参照して、第１実施形態に係る墓石１のいくつかの変形例について相違点を中心に説明する。なお、図１等に示す上記実施形態と同様の構成については同一の符号を付して説明を省略する。
【００３６】
図９に示す第１の変形例は、貫通穴４０の平面視における輪郭を円形にした点において、上記実施形態と相違する。この貫通穴４０の内壁は、下方にかけて徐々に径が小さくなるテーパー穴となっている。第１の変形例によれば、墓石１が光のもとにさらされると、貫通穴４０の形状に対応した円形の像が反射面１２上に現れ、広い視野角で視認させることが可能となる。なお、円形は正円に限らず、楕円も採用することができる。
【００３７】
図１０に示す第２の変形例は、貫通穴４２の平面視における輪郭をハート形にした点と、門４を円弧型にした点において、上記実施形態と相違する。門４の上部４４は、上側に向かって湾曲しており、その最も湾曲している部分に貫通穴４２が貫通形成される。貫通穴４２の内壁は、下方にかけてハートの外形が徐々に縮小するテーパー穴となっている。第２の変形例によれば、墓石１が光のもとにさらされると、貫通穴４２の形状に対応したハート形の像が反射面１２上に現れ、広い視野角で視認させることが可能となる。
【００３８】
図１１に示す第３の変形例は、貫通穴４６の平面視における輪郭を長方形にした点と、門４の形状を若干変更した点において、上記実施形態と相違する。貫通穴４６の内壁は、下方にかけて徐々に長方形の外形が縮小するテーパー穴となっている。第３の変形例によれば、墓石１が光のもとにさらされると、貫通穴４６の形状に対応した長方形の像が反射面１２上に現れ、広い視野角で視認させることが可能となる。
【００３９】
図１２に示す第４の変形例は、貫通穴４７の平面視における輪郭を正方形にした点と、門４の後面側を開放しないようにした点において、上記実施形態と相違する。門４は、前面側のみが開放され、後部４８が上部２２から脚部２１，２１の下部にかけてこれらと一体に形成されている。貫通穴４７の内壁は、下方にかけて正方形の外形が徐々に縮小するテーパー穴となっている。第４の変形例によれば、墓石１が光のもとにさらされると、貫通穴４７の形状に対応した像が反射面１２上に現れ、広い視野角で視認させることが可能となる。この場合、銘板３の角度によって、反射面１２上の像として正方形ではなく長方形が現れることもある。特に、後部４８によって門４の後面側が閉じられているため、より暗い空間を反射面１２に提供することができ、反射面１２上の像をよりはっきりと視認させることができる。
【００４０】
＜第２実施形態＞
次に、図１３及び１４を参照して、第２実施形態に係る墓石６０について第１実施形態との相違点を中心に説明する。主な相違点は、第１実施形態とは逆方向のテーパー穴で貫通穴を形成したことである。なお、第１実施形態と同様の構成については同一の符号を付して説明を省略する。
【００４１】
図１３に示すように、貫通穴５０は、内壁が上方にかけて徐々に十字形状の外形を縮小させるテーパー穴となっている。したがって、貫通穴５０の縦穴部５１は、図１３（ｃ）に示すように、前後の内壁５１ａ，５１ｂが上方にかけて徐々に内側に延び、図１３（ｄ）に示すように、内壁２６ａ，２６ｂのそれぞれの幅（左右方向の長さ）も上方にかけて徐々に小さくなっている。この点、詳述しないが、貫通穴５０の横穴部５２の内壁５２ａ，５２ｂも同様に形成されている
【００４２】
本実施形態の墓石６０についても、第１実施形態の墓石１と同様の原理により、光のもとにさらされた場合、貫通穴５０に起因した十字形状の光の像が反射面１２上に現れ、広い視野角で視認させることが可能となる。したがって、本実施形態の墓石６０によっても、第１実施形態の墓石１と同様の作用効果を奏することができる。
【００４３】
本実施形態の墓石６０の作用効果のうち、第１実施形態と異なる点について説明する。ここでは、一例として、貫通穴５０が、上方に対して左右斜めに切り込まれた長方形のテーパー穴である場合（すなわち、図７に示す貫通穴２４を逆方向のテーパー穴とした場合）について説明する。
【００４４】
図１４（ａ）に示すように、目線位置が貫通穴５０の正面位置Ｙ1にあるときは、空Ｘ1が反射面１２で反射して長方形の像６２が反射面１２上に現れる。この場合、像６２の左右両側に像６５，６６も現れる。この像６５，６６は、貫通穴５０の斜めの内壁部分、すなわち上げ裏の左右両側部分５０ａ，５０ｂの反射として視認されるものであり、像６２に比べて明度が低いものである。
【００４５】
図１４（ｂ）に示すように、目線位置が貫通穴５０の正面位置よりも左側の位置Ｙ6にあるときは、空Ｘ6が反射面１２で反射して長方形の像６２が反射面１２上に現れる。この目線位置Ｙ6は、貫通穴５０の内壁の左側部分５０ａの面の延長線上にある。この場合、像６２の右側にのみ像６６が現れる。この像６６は、貫通穴５０の右側の上げ裏の部分５０ｂの反射として視認されるものであり、像６２に比べて明度が低いものである。また、像６６の大きさは、図１４（ａ）に示す像６６の場合に比べて、左右方向で大きくなる。
【００４６】
図１４（ｃ）に示す目線位置Ｙ7は、貫通穴５０の内壁の左側部分５０ａの面の延長線よりも左側にある。この目線位置Ｙ7にあるときは、空Ｘ7が反射面１２で反射して長方形の像６２が反射面１２上に現れる。この場合、貫通穴５０の内壁下端の左側部分５０ｃによって視線が遮られるため、像６２の大きさは図１４（ａ）及び（ｂ）に示す像６２の場合に比べて左右方向に小さくなる。一方、像６２の右側に現れる像６６は、貫通穴５０の右側の上げ裏の部分５０ｂの反射として視認されるものである。この像６６の明るさは像６２ほどではなく、像６６の大きさは、図１４（ａ）及び（ｂ）に示す像６６の場合に比べて左右方向に大きくなる。
【００４７】
このように、本実施形態の一例によれば、左右方向における目線位置によって、明るさが異なる二種類の像（像６２と像６５，６６）を反射面１２上に現すことができる。なお、図１４（ａ）〜（ｃ）における像６２の明るさは同一である。また、詳細な説明は省略するが、例えば貫通穴５０が、上方に対して前後斜めに切り込まれた長方形のテーパー穴である場合（すなわち、図８に示す貫通穴２４を逆方向のテーパー穴とした場合）も、同様の原理により、上下方向における目線位置によって、明るさが異なる二種類の像を反射面１２上に現すことができる。
【００４８】
＜第２実施形態の変形例＞
次に図１５，１６を参照して、第２実施形態に係る墓石６０の二つの変形例について相違点を中心に説明する。なお、図１３に示す第２実施形態と同様の構成については同一の符号を付して説明を省略する。
【００４９】
図１５に示す第１の変形例は、貫通穴７１の平面視における輪郭を円形にした点と、門４を円弧型にした点において相違する。門４の上部７２は、上側に向かって湾曲しており、その最も湾曲している部分に貫通穴７１が貫通形成される。貫通穴４２の内壁は、上方にかけて円形の外形が徐々に縮小するテーパー穴となっている。第１の変形例によれば、上記同様に、墓石６０が光のもとにさらされると、貫通穴７１の形状に対応した円形の像が反射面１２上に現れ、広い視野角で視認させることが可能となる。
【００５０】
図１６に示す第２の変形例は、貫通穴７４の平面視における輪郭を長方形にした点と、門４の後面側を開放しないようにした点などにおいて、第２実施形態と相違する。門４は、前面側のみが開放され、後部７５が上部２２から脚部２１，２１の下部にかけてこれらと一体に形成されている。貫通穴７４の内壁は、上方にかけて長方形の外形が徐々に縮小するテーパー穴となっている。第２の変形例によれば、同様に、貫通穴７４の形状に対応した長方形の像が反射面１２上にはっきりと現れ、広い視野角で視認させることが可能となる。
【００５１】
なお、第２実施形態の貫通穴５０，７１，７４は上記の形状に限らず、第１実施形態の変形例のようにハート形や正方形など、各種の形状を採用することができる。
【００５２】
＜第３実施形態＞
次に、図１７を参照して、第３実施形態に係る墓石８０について第２実施形態との相違点を中心に説明する。主な相違点は、貫通穴５０を二段の逆方向のテーパー穴８１，８２で形成したことである。下側のテーパー穴８２は、上側のテーパー穴８１に比べて緩やかな角度で傾斜する。この両者の角度については、以下のとおり設定される。
【００５３】
先ず、図１７（ｂ）に示すように、貫通穴５０と同じ高さＨを有する一つのテーパー穴８３のみからなる場合（すなわち、第２実施形態）について説明する。テーパー穴８３の内壁上端８３ａとこれに対向する内壁下端８３ｂとを直線Ｌ1で結んだ場合、直線Ｌ1とテーパー穴８３の上端面との間の角度β1は直線Ｌ1とテーパー穴８３の下端面との間の角度β1と等しい。
【００５４】
一方、図１７（ａ）に示す本実施形態の場合、上側のテーパー穴８１の傾斜角度β2は図１７（ｂ）に示すテーパー穴８３の傾斜角度β2と等しいが、テーパー穴８１の高さはテーパー穴８３よりも短く設定される。このため、テーパー穴８１の内壁上端８１ａとこれに対向するテーパー穴８１の内壁下端８１ｂとを直線Ｌ2で結ぶと、直線Ｌ2とテーパー穴８１の上端面との間の角度β3は上記の角度β1よりも小さくなる。一方、テーパー穴８２の傾斜角度β4は、角度β3よりも小さくなる。また、テーパー穴８２の傾斜角度β4は、テーパー穴８１の傾斜角度β2よりも小さくなる。
【００５５】
以上のような角度に設定されたテーパー穴８１，８２からなる貫通穴５０を形成することで、一つのテーパー穴８３からなる同じ高さの貫通穴の場合に比べて、反射する余分な光を最小限に抑えることができる。詳細には、角度β3＞角度β4を必須条件とするテーパー穴８１，８２で貫通穴５０を形成することで、第２実施形態において見えていた上げ裏の像６５、６６（参照：図１４）を最小限の幅で見せるにとどめることができる。これは、例えば、直線Ｌ1の延長線上に目線位置があるときは、テーパー穴８３の右側の上げ裏の部分８３ｃの左右方向の幅に対応した暗い像が明るい像の右側に現れるのに対し（参照：図１４（ｂ））、直線Ｌ2の延長線上に目線位置があるときは、テーパー穴８１の右側の上げ裏の部分８１ｃの左右方向の幅に対応した暗い像が明るい像の右側に現れるが、この上げ裏の部分８１ｃに起因する暗い像が上げ裏の部分８３ｃに起因する暗い像に比べて左右方向に小さいのは、この上げ裏の部分８１ｃの左右方向の幅が上げ裏の部分８３ｃのそれよりも小さいからである。
【００５６】
なお、第３実施形態の貫通穴は、その平面視形状を特に限定するものではなく、第２実施形態の変形例として説明した他の貫通穴７１，７４などを用いることができることは言うまでもない。
【００５７】
＜第４実施形態＞
次に、図１８を参照して、第４実施形態に係る墓石９０について第１実施形態との相違点を中心に説明する。主な相違点は、貫通穴９１への着脱可能な装着部材として板ガラス９２，９４を設けたことである。なお、貫通穴９１は、図１に示す貫通穴２４や図９〜１２に示す貫通穴４０、４２、４６、４７などの正方向のテーパー穴から構成される。
【００５８】
板ガラス９２、９４の平面視の形状は、貫通穴９１の平面視の形状に相似し、例えば、十字形、ハート形、円形、長方形又は正方形などの形状により形成される。また、板ガラス９２，９４の外周部である側面９２ａ，９４ａは、貫通穴９１のテーパー形状に対応してテーパー形状に形成される。詳細には、板ガラス９２の側面９２ａは、貫通穴９１の上部内壁９６の傾斜角度と同じ角度で形成されると共に、上部内壁９６の径と同じ径で形成される。同様に、板ガラス９２よりも小さい板ガラス９４の側面９４ａは、貫通穴９１の下部内壁９７の傾斜角度と同じ角度で形成されると共に、下部内壁９７の径と同じ径で形成される。
【００５９】
このような構成により、貫通穴９１内に板ガラス９２、９４を装着した場合には、板ガラス９２の側面９２ａは上部内壁９６に支持され、板ガラス９４の側面９４ａは下部内壁９７に支持され、貫通穴９１からの板ガラス９２、９４の落下が阻止される。したがって、貫通穴９１のテーパー形状を有効に利用することで、板ガラス９２，９４を着脱可能に且つ抜落ちないように設けることができる。また、着脱も容易であり、掃除もし易い。
【００６０】
第４実施形態が第１実施形態と比べて有利となる点は、板ガラス９２，９４に影響する像も反射面１２上に現すことができることである。例えば、板ガラス９２，９４の少なくとも一つを色付きのもので構成した場合には、上記した像３０（参照：図２）が板ガラスの色にて反射面１２上に現れる。また、板ガラス９２，９４に模様を彫ったり、あるいはプリントすることもできる。したがって、板ガラス９２，９４を工夫することで、貫通穴９１のみに起因する光の像に複合的な色や模様を組み合わせた像を反射面１２上に現すことができる。
【００６１】
本実施形態の他の実施態様によれば、板ガラス９２，９４は一つのみであってもよいが、その場合には上側の板ガラス９２のみを設けるとよい。下側の板ガラス９４のみであると、この上面に雨水が溜まるおそれがあるからである。もっとも、板ガラス９２，９４の少なくとも一つには排水用の孔を形成してもよい。
【００６２】
また、貫通穴９１への装着部材の一例として板ガラス９２，９４を用いたが、石材とは異なる材料からなる装着部材であれば板ガラスに限定されるものではない。例えば、装着部材として、ステンドグラスやパンチングボードを用いてもよいし、投光用の穴が開いたプラスチック、アルミニウム又はステンレスを用いてもよく、これらの部材を適宜組合せてもよい。また、アルミニウムなどにより形成した枠の内側に写真などの画像を嵌めこんだものを装着部材として用い、その枠の外周部を貫通穴９１の内壁に支持させるようにしてもよい。
【００６３】
＜第４実施形態の変形例＞
次に図１９〜２１を参照して、第４実施形態に係る墓石９０の三つの変形例について相違点を中心に説明する。なお、図１８に示す構成と同様の構成については同一の符号を付して説明を省略する。
【００６４】
図１９に示す第１の変形例は、貫通穴９１に装着部材９２，９４用の受け穴１０１，１０２を設けた点に関して主に相違する。受け穴１０１，１０２は、それぞれ、貫通穴９１の上部及び下部に存在するように、貫通穴９１におけるテーパー穴１０４の上側及び下側に連なる。
【００６５】
受け穴１０１の内壁は、装着部材９２の平坦な底部の縁部を支持する水平支持面１１１と、装着部材９２の側面９２ａに面する鉛直面１１３と、を有する。水平支持面１１１は、テーパー穴１０４の内壁上端から外側に水平に延びる面であり、装着部材９２を水平に載置する。鉛直面１１３は、水平支持面１１１の外側部から真直ぐ上方に立ち上がり、装着部材９２の側面９２ａに僅かな隙間を存して対向するか、側面９２に当接する。同様に、受け穴１０２は、装着部材９４に対応して、水平支持面１１５及び鉛直面１１７を有する。そして、鉛直面１１７がテーパー穴１０４の内壁下端から真直ぐ下方に垂下して装着部材９４の側面９４ａに面する一方、水平支持面１１５が鉛直面１１７の下端から内側に水平に延びて、装着部材９４を水平に載置する。
【００６６】
したがって、第１の変形例によっても、装着部材９２，９４を色ガラスなどで工夫することで、貫通穴９１のみに起因する光の像に複合的な色や像を組み合わせて反射面１２上に現すことができる。特に、第１の変形例によれば、装着部材９２，９４の側面９２ａ，９４ａに特別な加工（テーパー形状への加工。）を施さなくとも、装着部材９２，９４を受け穴１０１，１０２の内壁に支持させることができる。なお、上記同様に、装着部材９２，９４は一つのみであってもよく、その場合には上側の装着部材９２のみを設けるとよい。
【００６７】
図２０に示す第２の変形例は、第２実施形態で説明したような逆方向のテーパー穴（参照：図１３に示す貫通穴５０、図１５に示す貫通穴７１、図１６に示す貫通穴７４）を含む貫通穴１２１の場合に、装着部材１２３を貫通穴１２１の内壁に支持させる構造に関するものである。
【００６８】
具体的には、貫通穴１２１は、逆方向のテーパー穴１２７の上側に、装着部材１２３用の受け穴１２５を連続させることで形成される。受け穴１２５は、正方向のテーパー穴からなり、下方に向かうにつれて徐々にサイズが小さくなるように形成される。そして、図１８に示した装着部材９２と貫通穴９１との関係と同様に、受け穴１２５のテーパー形状の内壁に対応するように、装着部材１２３の側面１２３ａがテーパー形状で形成され、受け穴１２５からの装着部材１２３の落下が阻止される。したがって、第２の変形例によっても、装着部材１２３を色ガラスなどで工夫することで、貫通穴１２１のみに起因する光の像に複合的な色や像を組み合わせて反射面１２上に現すことができる。
【００６９】
図２１に示す第３の変形例は、図２０に示す受け穴１２５の態様を図１９に示す受け穴１０１の態様に変更したものである。したがって、受け穴１２５の内壁は、受け穴１０１と同様に、水平支持面１３１及び鉛直面１３３を有し、水平支持面１３１にて装着部材１２３を支持する。よって、第３の変形例によれば、装着部材１２３の側面１２３ａをテーパー形状にすることなく支持することができると共に、複合的な色や像を組み合わせて反射面１２上に現すことができる。
【００７０】
＜第１〜第４実施形態について共通の変形例など＞
次に、第１〜第４実施形態に係る墓石に適用可能な変形例などについて説明する。
銘板３と門４とを互いに別体として構成したが、これらを一体、すなわち一つの石材で構成してもよい。こうすることで、一つの墓石あたりの石材に要する材料コストを低減することができる。
【００７１】
上記では、銘板３の反射面１２による鏡の効果について深く説明したが、実際には、鏡の効果以外に、貫通穴から反射面１２へと差し込んできた光により、反射面１２は照らされる。したがって、この照らされた部分も反射面１２上に、貫通穴の平面視形状に対応する形状の像が写しだされることになる。ただし、この写し出される像は、反射による像に比べて明るくないため、反射による像ほどは視認されない。この写し出される像についても、貫通穴にテーパー穴を含ませていることで、光源（太陽）が移動しても光が差し込んで照らし出されるようになっている。以下、この点について簡単に説明する。
【００７２】
図２２に示すように、貫通穴２４´がストレート穴の場合、光源（太陽）がＡ1以外の位置にあるときは、光が反射面１２´上の位置を照らさない。つまり、光源がＡ1の位置にあるときだけ、光が反射面１２´上のＢ1の位置を照らす。この場合、目線位置が左右にずれても、また上下にずれても、反射面１２´に照らされた光は同じＢ1の位置に見えることになる。
【００７３】
これに対し、図２３に示すように、貫通穴２４が左右に斜めに切り込まれたテーパー穴である場合、光源がＡ1の位置にあるときは光が反射面１２上のＢ1の位置を照らすことに加え、光源がＡ2の位置にあるときはＢ2の位置を、また、Ａ3の位置にあるときはＢ3の位置を照らすことになる。つまり、光源の位置Ａ1、Ａ2、Ａ3によって、照らされる光の左右の位置が変わる。したがって、光源の位置がＡ1にあるときは、目線位置がＣ1、Ｃ2、Ｃ3のいずれの位置であっても、反射面１２に照らされた光は同じＢ1の位置に見えることになる。
【００７４】
同様に、図２４に示すように、貫通穴２４が前後に斜めに切り込まれたテーパー穴である場合、光源がＡ1の位置にあるときは光が反射面１２上のＢ1の位置を照らすことに加え、光源がＡ4の位置にあるときはＢ4の位置を、また、Ａ5の位置にあるときはＢ5の位置を照らすことになる。つまり、光源の位置Ａ1、Ａ4、Ａ5によって、照らされる光の上下の位置が変わる。したがって、光源の位置がＡ1にあるときは、目線位置がＣ1、Ｃ4、Ｃ5のいずれの位置であっても、反射面１２に照らされた光は同じＢ1の位置に見えることになる。
【００７５】
このように、図２３及び２４に示すようなテーパー穴の態様をもつ上記第１〜第４実施形態の貫通穴によれば、光源が移動した場合にも、光を貫通穴に差し込ませて反射面１２を照らすことができる。なお、詳述しないが、第２実施形態で説明した逆方向のテーパー穴の場合にも同じ原理により、同じ現象が起きる。この光の差し込みにより照らされた部分は、反射面１２上の他の部分に比べて暖かい。この部分を触れた参拝者に、亡き人のぬくむりを感じさせることができる。
【００７６】
また別の変形例によれば、光を受けるもの（上記の銘板３）をピラミッド形にして、多方面から光を受けるようにしてもよいし、受けた光を反射するようにしてもよい。さらに別の変形例によれば、門４に形成した貫通穴から落ちてくる水を下の台（例えば、芝台２又は銘板３）で受けて、その台に水のデザインを作るようにしてもよい。
【符号の説明】
【００７７】
１，６０，８０，９０：墓石、３：銘板（第１の石部材）、４：門（第２の石部材）、１２：反射面、２２，４４，７２：上部、２４，４０，４２，４６，４７，５０，７１，７４：貫通穴（テーパー穴）、３０，６２:像、９２，９４，１２３：板ガラス（装着部材）、１０１，１０２，１２５：受け穴、１１１，１１５，１３１：水平支持面、１１３，１１７，１３３：鉛直面
【図１】
2011038252.tif 000003
【図２】
2011038252.tif 000004
【図３】
2011038252.tif 000005
【図４】
2011038252.tif 000006
【図５】
2011038252.tif 000007
【図６】
2011038252.tif 000008
【図７】
2011038252.tif 000009
【図８】
2011038252.tif 000010
【図９】
2011038252.tif 000011
【図１０】
2011038252.tif 000012
【図１１】
2011038252.tif 000013
【図１２】
2011038252.tif 000014
【図１３】
2011038252.tif 000015
【図１４】
2011038252.tif 000016
【図１５】
2011038252.tif 000017
【図１６】
2011038252.tif 000018
【図１７】
2011038252.tif 000019
【図１８】
2011038252.tif 000020
【図１９】
2011038252.tif 000021
【図２０】
2011038252.tif 000022
【図２１】
2011038252.tif 000023
【図２２】
2011038252.tif 000024
【図２３】
2011038252.tif 000025
【図２４】
2011038252.tif 000026